(57)【要約】  ＩＢＯＣ方式の信号フォーマットにより伝送される放送信号を受信するのに適した放送受信機であって、放送信号に含まれるアナログ放送信号の処理に適した狭帯域フィルタ手段と、放送信号に含まれるデジタル放送信号の処理に適した広帯域フィルタ手段と、放送信号を復調する復調手段と、放送信号のレベルを検出する信号レベル検出手段と、該検出された放送信号のレベルに応じて、復調手段に入力する放送信号の処理に使用するフィルタ手段を前記狭帯域フィルタ手段と前記広帯域フィルタ手段のいずれか一方に切り替えるフィルタ切替手段とを備えることを特徴とする放送受信機。
2008026693.tif 000002
【特許請求の範囲】
【請求項１】
ＩＢＯＣ方式の信号フォーマットにより伝送される放送信号を受信するのに適した放送受信機であって、
放送信号に含まれるアナログ放送信号の処理に適した狭帯域フィルタ手段と、
放送信号に含まれるデジタル放送信号の処理に適した広帯域フィルタ手段と、
放送信号を復調する復調手段と、
放送信号のレベルを検出する信号レベル検出手段と、
放送信号がデジタル放送信号を含むか否かを判定するデジタル判定手段と、
前記デジタル判定手段によって放送信号にデジタル放送信号が含まれていないと判定された場合において、該検出された放送信号のレベルに応じて、復調手段に入力する放送信号の処理に使用するフィルタ手段を前記狭帯域フィルタ手段と前記広帯域フィルタ手段のいずれか一方に切り替えるフィルタ切替手段と
を備えることを特徴とする放送受信機。
【請求項２】
前記フィルタ切替手段は、該検出された放送信号のレベルが所定値よりも高いときには前記広帯域フィルタ手段で処理された放送信号が前記復調手段に入力され、該検出された放送信号のレベルが所定値以下のときには前記狭帯域フィルタ手段で処理された放送信号が前記復調手段に入力されるように動作することを特徴とする請求項１に記載の放送受信機。
【請求項３】
前記フィルタ切替手段は切替スイッチを含み、
前記切替スイッチは、前記狭帯域フィルタ手段によって処理された放送信号及び前記広帯域フィルタ手段によって処理された放送信号の入力を受け、その一方のみを出力することを特徴とする請求項１又は２に記載の放送受信機。
【請求項４】
放送信号を増幅する増幅手段を更に備え、
前記フィルタ手段で処理された放送信号は前記増幅手段を経由して前記復調手段に入力されることを特徴とする請求項１から請求項３の何れかに記載の放送受信機。
【請求項５】
前記所定値は、隣接妨害の影響が許容できる放送信号のレベルの下限値に設定されることを特徴とする請求項２から請求項４の何れかに記載の放送受信機。
【請求項６】
チャネルの選局を行う選局手段と、
前記復調手段に出力された放送信号を監視して、放送信号がＩＢＯＣ方式の信号フォーマットによるものか否かを判定するＩＢＯＣ判定手段と、を更に備え、
前記フィルタ切替手段は、前記選局手段によって何れかのチャネルが選局された直後は、前記広帯域フィルタ手段で処理された放送信号が前記復調手段に入力されるように動作することを特徴とする請求項１から請求項５の何れかに記載の放送受信機。
【請求項７】
移動体に取り付け可能であることを特徴とする請求項１から請求項６の何れかに記載の放送受信機。
【請求項８】
ＩＢＯＣ方式の信号フォーマットにより伝送される放送信号を受信する方法であって、
放送信号に含まれるアナログ放送信号の処理に適した狭帯域フィルタ手段と、放送信号に含まれるデジタル放送信号の処理に適した広帯域フィルタ手段の何れかを使用して放送信号のフィルタリングを行うフィルタリングステップと、
放送信号を復調する復調ステップと、
放送信号のレベルを検出する信号レベル検出ステップと、
放送信号がデジタル放送信号を含むか否かを判定するデジタル判定ステップと、
前記デジタル判定ステップにおいて放送信号にデジタル放送信号が含まれていないと判定された場合において、該検出された放送信号のレベルに応じて、前記フィルタリングステップにおいて使用するフィルタ手段を前記狭帯域フィルタ手段と前記広帯域フィルタ手段のいずれか一方に切り替えるフィルタ切替ステップと
を含むことを特徴とする方法。
【請求項９】
前記フィルタ切替ステップは、前記フィルタリングステップで使用するフィルタ手段を、該検出された放送信号のレベルが所定値よりも高いときには前記広帯域フィルタ手段に、該検出された放送信号のレベルが所定値以下のときには前記狭帯域フィルタ手段に切り替えることを特徴とする請求項８に記載の方法。
【請求項１０】
前記フィルタ切替ステップは、前記狭帯域フィルタ手段によって処理された放送信号と前記広帯域フィルタ手段によって処理された放送信号の何れか一方を選択することにより、前記フィルタリングステップで使用するフィルタ手段を切り替えることを特徴とする請求項８又は９に記載の方法。
【請求項１１】
放送信号を増幅する増幅ステップを更に含み、
前記フィルタリングステップ、前記増幅ステップ、前記復調ステップの順に処理が行われることを特徴とする請求項８から請求項１０の何れかに方法。
【請求項１２】
前記所定値は、隣接妨害の影響が許容できる放送信号のレベルの下限値に設定されていることを特徴とする請求項８から請求項１１の何れかに記載の方法。
【請求項１３】
チャネルの選局を行う選局ステップと、
前記復調ステップによって復調された放送信号を監視して、放送信号がＩＢＯＣ方式の信号フォーマットによるものか否かを判定するＩＢＯＣ判定ステップと、を更に含み、
前記フィルタ切替ステップは、前記選局ステップによって何れかのチャネルが選局された直後は、前記フィルタリングステップで使用するフィルタ手段を前記広帯域フィルタ手段に切り替えることを特徴とする請求項８から請求項１２の何れかに記載の方法。
【発明の詳細な説明】
【技術分野】
【０００１】
本発明は、放送受信機に関連し、特にＩＢＯＣ（In Band On Channel）方式のラジオ放送を受信するＩＢＯＣ放送受信機に関する。
【背景技術】
【０００２】
近年、音響機器や映像機器等において音声や映像をデジタル形式で処理／管理することが一般化している。このような音響機器等における音声や映像のデジタル符号化の趨勢はラジオ放送の分野にも波及している。例えば米国では、ＩＢＯＣ（In Band On Channel）と呼ばれるデジタルラジオ放送方式がｉＢｉｑｕｉｔｙ（アイビクイティ）社によって提案され、実用化されている。【０００３】
ところでここで、一般的な従来のアナログラジオ放送は、各放送局に割り当てられた物理チャンネルに対応する周波数帯域（以下、「チャネル」あるいは「周波数チャネル」という）内に周波数分布をもつ搬送波（以下、「アナログ搬送波」という）によっての変調を用いて放送される。実際には、隣接するチャネルのアナログ搬送波同士の干渉を避けるために、割り当てられた帯域のうち中心部分のみがアナログ搬送波の伝送に使用され、それ以外の部分は使用されていない。【０００４】
ＩＢＯＣ方式は、従来のアナログラジオ放送に割り当てられた周波数チャネルを使用してデジタルラジオ放送を行う方式である。ＩＢＯＣ方式には、既存のアナログラジオ放送の信号にデジタルラジオ放送の信号を重畳させたハイブリッドフォーマットや、デジタル信号のみからなるオールデジタルフォーマットなど、複数の信号フォーマットが規定されており、既存のアナログラジオ放送から多機能・高品位なオールデジタルラジオ放送へと段階的に移行できるようにデザインされている。また、ＩＢＯＣ方式では、多数の搬送波（サブキャリア）を使用する直交周波数分割多重（ＯＦＤＭ）方式によってデジタル放送信号が伝送される。【０００５】
これに対してＩＢＯＣ方式では、アナログ放送からオールデジタル放送への過渡期において、ハイブリッドフォーマットという信号フォーマットが利用される。ハイブリッドフォーマットでは、アナログ搬送波が使用する帯域の中心部分に隣接する従来使用されていなかった部分（以下、「サイドバンド」という）にデジタル放送のサブキャリアが配置されるデジタルラジオ放送は、上記帯域のサイドバンドの変調波を利用して放送される。すなわちＩＢＯＣ方式のハイブリッドフォーマットによれば、既存のアナログラジオ放送の周波数帯を有効に活用して、アナログラジオ放送とデジタルラジオ放送が同一チャネルを使用してが同時に伝送される。なお、本明細書において「デジタルラジオ放送」とは、「ＩＢＯＣ方式のデジタルラジオ放送」を意味するものとする。【０００６】
このようなＩＢＯＣ方式のデジタルラジオ放送を受信可能なＩＢＯＣ放送受信機が、例えば特開２００４−３４９８０５号公報（以下、「参考文献」という）に開示される。当該参考文献のＩＢＯＣ放送受信機は、先ず、受信信号を、アナログ搬送波が存在する帯域の中心部分およびそれに隣接する部分（サイドバンド）含む広帯域でフィルタリングし、アナログ搬送波と共にサイドバンドのサブキャリアも復調する。そして、復調の結果ＩＢＯＣ信号（デジタルラジオ放送であることを示す識別情報）が得られた場合、選局するチャネルでデジタルラジオ放送が伝送されていることから、以降もサイドバンドを復調できるよう、フィルタリングの設定を広帯域で維持する。【０００７】
一方で、ＩＢＯＣ信号が得られなかった場合には、選局するチャネルではアナログラジオ放送だけが伝送されており、サイドバンドに有効な情報が含まれない。附言するに、サイドバンドは有効な情報を含まないだけでなく、隣接帯域の妨害（ノイズ等であり、以下、「隣接妨害」と略記）を受け易く、選局するチャネルのＣＮ比を低下させる要因にもなる。このため、ＩＢＯＣ信号が得られなかった場合には、選局するチャネルをアナログ変調波の帯域でフィルタリングする。これによって、不要且つ隣接妨害の影響を受け易いサイドバンドをカットして、アナログラジオ放送のＣＮ比改善を図っている。【０００８】
すなわち上記参考文献のＩＢＯＣ放送受信機は、フィルタリングの帯域をＩＢＯＣ信号の有無に応じて切り替え可能とし、選局するチャネルがアナログラジオ放送だけを含むと判定したときに限り、サイドバンドをカットしてアナログラジオ放送のＣＮ比を向上させる構成となっている。
【発明の開示】
【０００９】
ここで、上記参考文献のＩＢＯＣ放送受信機において、選局するチャネルにＩＢＯＣ信号が含まれないと判定するケースとして２つのパターンが考えられる。１つは、選局するチャネル自体がＩＢＯＣ信号を含まないチャネルであるというパターンである。そして、もう１つは、選局するチャネルの受信状態が悪いためにＩＢＯＣ信号を検出できないというパターンである。前者の場合、サイドバンドは受信状態に拘わらず不要であるため、サイドバンドをカットすることはアナログラジオ放送のＣＮ比を向上させる点で好適である。ところが、後者の場合にはサイドバンドをカットすることが必ずしも好適とは云えない。すなわち後者の場合、選局するチャネルの受信状態が改善してもサイドバンドはカットされたままであるため、当該選局するチャネルがデジタルラジオ放送を流している場合であっても該デジタルラジオ放送を復調できない不都合がある。
【００１０】
そこで、本発明は上記の事情に鑑みて、アナログラジオ放送に対する隣接妨害の影響を軽減させつつも、上記不都合を解消してデジタルラジオ放送を復調することが可能なＩＢＯＣ放送受信機を提供することを課題としている。
【００１１】
本発明の実施形態により、ＩＢＯＣ方式の信号フォーマットにより伝送される放送信号を受信するのに適した放送受信機であって、放送信号に含まれるアナログ放送信号の処理に適した狭帯域フィルタ手段と、放送信号に含まれるデジタル放送信号の処理に適した広帯域フィルタ手段と、放送信号を復調する復調手段と、放送信号のレベルを検出する信号レベル検出手段と、放送信号がデジタル放送信号を含むか否かを判定するデジタル判定手段と、前記デジタル判定手段によって放送信号にデジタル放送信号が含まれていないと判定された場合において、該検出された放送信号のレベルに応じて、復調手段に入力する放送信号の処理に使用するフィルタ手段を前記狭帯域フィルタ手段と前記広帯域フィルタ手段のいずれか一方に切り替えるフィルタ切替手段とを備える放送受信機が提供される。この場合において、前記フィルタ切替手段は、該検出された放送信号のレベルが所定値よりも高いときには前記広帯域フィルタ手段で処理された放送信号が前記復調手段に入力され、該検出された放送信号のレベルが所定値以下のときには前記狭帯域フィルタ手段で処理された放送信号が前記復調手段に入力されるように動作し得る。
【００１２】
このように構成された放送受信機においては、アナログ放送のみが受信可能な場合に、受信状態に応じて放送信号の適切なフィルタリングを行うことができる。具体的には、受信レベルが高くアナログ放送の受信状態が良好な場合には、デジタル信号の受信に備えて広帯域フィルタリングを行うことにより、デジタル放送信号が検出さると直ぐにデジタル放送を聴くことができるようになる。一方、アナログ放送の受信レベルが低い場合には、狭帯域フィルタリングを行うことにより、アナログ放送の音質を向上させることができる。
【００１３】
任意選択により、前記フィルタ切替手段は切替スイッチを含んでいてもよい。好ましくは、前記切替スイッチは、前記狭帯域フィルタ手段によって処理された放送信号及び前記広帯域フィルタ手段によって処理された放送信号の入力を受け、その一方のみを出力するように構成される。
【００１４】
このように各フィルタ手段からの出力をスイッチで切り替える構成にすることにより、簡易な機構でフィルタリングの切り替えを行うことが可能になるとともに、早い切り替えが実現される。
【００１５】
加えて、本発明の実施形態による放送受信機は、放送信号を増幅する増幅手段を備えていてもよい。好ましくは、前記フィルタ手段で処理された放送信号は前記増幅手段を経由して前記復調手段に入力される。
【００１６】
このようにフィルタリングにより帯域外のノイズをカットした後で信号を増幅する構成とすることにより、帯域外のノイズが関与する増幅時の信号の歪みを低減させることができる。
【００１７】
任意選択により、前記所定値は、隣接妨害の影響が許容できる放送信号のレベルの下限値に設定されてもよい。
【００１８】
任意選択により、本発明の実施形態による放送受信機は、チャネルの選局を行う選局手段と、前記復調手段に出力された放送信号を監視して、放送信号がＩＢＯＣ方式の信号フォーマットによるものか否かを判定するＩＢＯＣ判定手段とを更に備えていてもよい。好ましくは、前記フィルタ切替手段は、前記選局手段によって何れかのチャネルが選局された直後は、前記広帯域フィルタ手段で処理された放送信号が前記復調手段に入力されるように動作する。
【００１９】
任意選択により、本発明の実施形態による放送受信機は移動体に取り付け可能である。
【００２０】
また、本発明の実施形態により、ＩＢＯＣ方式の信号フォーマットにより伝送される放送信号を受信する方法であって、放送信号に含まれるアナログ放送信号の処理に適した狭帯域フィルタ手段と、放送信号に含まれるデジタル放送信号の処理に適した広帯域フィルタ手段の何れかを使用して放送信号のフィルタリングを行うフィルタリングステップと、放送信号を復調する復調ステップと、放送信号のレベルを検出する信号レベル検出ステップと、放送信号がデジタル放送信号を含むか否かを判定するデジタル判定ステップと、前記デジタル判定ステップにおいて放送信号にデジタル放送信号が含まれていないと判定された場合において、該検出された放送信号のレベルに応じて、前記フィルタリングステップにおいて使用するフィルタ手段を前記狭帯域フィルタ手段と前記広帯域フィルタ手段のいずれか一方に切り替えるフィルタ切替ステップとを含む方法が提供される。
【００２１】
好ましくは、前記フィルタ切替ステップは、前記フィルタリングステップで使用するフィルタ手段を、該検出された放送信号のレベルが所定値よりも高いときには前記広帯域フィルタ手段に、該検出された放送信号のレベルが所定値以下のときには前記狭帯域フィルタ手段に切り替える。
【００２２】
好ましくは、前記フィルタ切替ステップは、前記狭帯域フィルタ手段によって処理された放送信号と前記広帯域フィルタ手段によって処理された放送信号の何れか一方を選択することによって、前記フィルタリングステップで使用するフィルタ手段を切り替える。
【００２３】
加えて、本発明の実施形態による受信方法は、放送信号を増幅する増幅ステップを含んでいてもよい。この場合、前記フィルタリングステップ、前記増幅ステップ、前記復調ステップの順に処理が行われることが好ましい。
【００２４】
好ましくは、前記所定値は、隣接妨害の影響が許容できる放送信号のレベルの下限値に設定される。
【００２５】
加えて、本発明の実施形態による受信方法は、チャネルの選局を行う選局ステップと、前記復調ステップによって復調された放送信号を監視して、放送信号がＩＢＯＣ方式の信号フォーマットによるものか否かを判定するＩＢＯＣ判定ステップとを含んでいてもよい。この場合、前記フィルタ切替ステップは、前記選局ステップによって何れかのチャネルが選局された直後は、前記フィルタリングステップで使用するフィルタ手段を前記広帯域フィルタ手段に切り替えることが好ましい。
【００２６】
また、上記ＩＢＯＣ放送受信機は移動体に搭載されるものであっても良い。
【図面の簡単な説明】
【００２７】
【図１】本発明の実施の形態のＩＢＯＣ放送受信機を備えたオーディオ装置の構成を示したブロック図である。
【図２】本発明の実施の形態のオーディオ装置で実行されるラジオ放送再生処理を説明するフローチャートである。
【発明を実施するための最良の形態】
【００２８】
以下、図面を参照して、本発明の実施の形態のＩＢＯＣ放送受信機について説明する。【００２９】
図１は、本発明の実施の形態のＩＢＯＣ放送受信機を備えたオーディオ装置１００の構成を示したブロック図である。オーディオ装置１００は、例えば移動体である車両に搭載されている。オーディオ装置１００は、ＩＢＯＣ方式のラジオ放送に対応したものであり、当該方式のアナログ／デジタルラジオ放送を受信して処理するよう設計されている。【００３０】
オーディオ装置１００は、アンテナ１、チューナ２、ＩＦ（Intermediate Frequency）広帯域フィルタ３、ＩＦ狭帯域フィルタ４、フィルタ切替スイッチ５、ＩＦアンプ６、セパレータＳＥＰ、ＩＦフィルタ７、Ａ／Ｄコンバータ８、アナログ用信号処理回路９、オーディオ処理回路１０、Ｄ／Ａコンバータ１１、パワーアンプ１２、スピーカ１３、ＰＬＬ（Phase Locked Loop）回路１４、マイクロコンピュータ１５、ＩＤＭ（IBOC Digital Module）１６、受光部１７、およびリモート・コントローラ（以下、「リモコン」と記す）１８を備える。【００３１】
リモコン１８にはオーディオ装置１００を操作するための操作キーが設けられている。ユーザがリモコン１８を操作すると、操作に応じた制御パルスがリモコン１８から出力される。このとき出力される制御パルスは、例えばＩｒＤＡ規格に準拠した信号である。受光部１７は、リモコン１８が出力した制御パルスを受信すると、それをマイクロコンピュータ１５に渡す。【００３２】
マイクロコンピュータ１５は、オーディオ装置１００全体の統括的な制御を司る。マイクロコンピュータ１５には様々な制御プログラムが実装されており、受光部１７から受け取った制御パルスに基づいてそれらの制御プログラムを実行し、オーディオ装置１００内の各構成要素を制御する。【００３３】
ここで、オーディオ装置１００における一連の信号処理について説明する。【００３４】
アンテナ１は、ラジオ放送の各チャネルのＲＦ（Radio Frequency）信号を受信する。アンテナ１で受信された各ＲＦ信号はチューナ２に入力される。【００３５】
チューナ２は、マイクロコンピュータ１５によるＰＬＬ回路１４を介した制御により、入力された各ＲＦ信号の中から選局するチャネルのＲＦ信号を選択して、フィルタリング等の信号処理に適した中間周波数への周波数変換を行う。ＲＦ信号の周波数変換によって得られたＩＦ信号は、次にＩＦ広帯域フィルタ３およびＩＦ狭帯域フィルタ４の両フィルタに入力される。なお、選局するチャネルは、例えばユーザによる選局操作に従って決定される。また、最後に選局されたチャネル（以下、「ラストチャネル」と記す）の情報は例えばマイクロコンピュータ１５の内部メモリ又は図示しないフラッシュＲＯＭ等に保存される。【００３６】
ＩＦ広帯域フィルタ３およびＩＦ狭帯域フィルタ４は、チューナ２からのＩＦ信号をフィルタリングしてフィルタ切替スイッチ５に出力する。ＩＦ狭帯域フィルタ４では、ＩＦ信号はアナログ搬送波の占める帯域（以下、「狭帯域」と記す）でフィルタリングされてフィルタ切替スイッチ５に出力される。また、ＩＦ広帯域フィルタ３では、ＩＦ信号はアナログ搬送波およびサブキャリアが配置される帯域（以下、アナログ搬送波およびサブキャリアが配置される帯域を「広帯域」と記す）でフィルタリングされてフィルタ切替スイッチ５に出力される。なお、説明の便宜上、ＩＦ広帯域フィルタ３、ＩＦ狭帯域フィルタ４のそれぞれでフィルタリングされたＩＦ信号を「広帯域ＩＦ信号」、「狭帯域ＩＦ信号」と記す。【００３７】
フィルタ切替スイッチ５は、マイクロコンピュータ１５による後述の制御に従って、広帯域ＩＦ信号又は狭帯域ＩＦ信号の何れか一方をＩＦアンプ６に出力する。次いで、ＩＦアンプ６が、フィルタ切替スイッチ５からのＩＦ信号を増幅してセパレータＳＥＰに出力する。セパレータＳＥＰは、入力されたＩＦ信号を例えばその周波数に基づいて２つの信号成分に分離する。１つは、アナログ搬送波をＩＦ信号に変換することで得られた信号成分（以下、「アナログＩＦ信号」と記す）であり、もう１つは、サイドバンドをＩＦ信号に変換することで得られた信号成分（以下、「デジタルＩＦ信号」と記す）である。セパレータＳＥＰは、分離して得られたアナログＩＦ信号、デジタルＩＦ信号のそれぞれをＩＦフィルタ７、Ａ／Ｄコンバータ８に出力する。【００３８】
なお、フィルタ切替スイッチ５が狭帯域ＩＦ信号を出力するようスイッチング制御されている場合、サイドバンドはカットされるため、ＩＦアンプ６に入力するＩＦ信号にはデジタルＩＦ信号が含まれない。この場合、セパレータＳＥＰに入力するＩＦ信号は実質的にアナログＩＦ信号だけである。従って、セパレータＳＥＰで分離処理が行われてもデジタルＩＦ信号が得られず、セパレータＳＥＰからＡ／Ｄコンバータ８には何れの入力もない。【００３９】
ここで、隣接妨害の一例として、選局するチャネルのサイドバンドの一部が隣接する放送エリアの放送局のサイドバンドと干渉し、その干渉の結果、広帯域ＩＦ信号が劣化するといったものがある。このような隣接妨害の影響は、例えば選局するチャネルの受信状態が悪く、隣接する放送エリアの電波が強い場合に、より顕著となって現れる。そして、強い隣接妨害によってＩＦ信号のレベルが過大となり、ＩＦアンプ６の出力がクリップする（歪む）ことがある。ＩＦアンプ６による増幅を行う前に、隣接妨害によって発生したノイズを低減させる構成を採用することが望まれる。【００４０】
そこで、本実施形態のオーディオ装置１００では、ＩＦアンプ６でのクリップの発生を抑えるため、既述のようにＩＦアンプ６の前段側にフィルタ切替スイッチ５を設ける構成を採用している。詳細には、ＩＦアンプ６の前段側でＩＦ信号の帯域切替を予め行い、フィルタリングされたＩＦ信号（狭帯域ＩＦ信号又は広帯域ＩＦ信号の何れか）に周知のＡＧＣ（Automatic Gain Control）を施してＩＦアンプ６に入力する構成としている。狭帯域ＩＦ信号はサイドバンドを含まない、隣接妨害の影響を受け難い信号であるため、ＩＦアンプ６の出力のクリップが発生し難くなる効果が期待される。また、広帯域ＩＦ信号も後述するように良好な受信状態で得られる、隣接妨害の影響の少ない信号であるため、狭帯域ＩＦ信号と同様に、ＩＦアンプ６の出力のクリップが発生し難くなる効果が期待される。【００４１】
ＩＦフィルタ７は、入力されるアナログＩＦ信号から不要な周波数成分を除去するフィルタリング処理を行って、処理したアナログＩＦ信号をＡ／Ｄコンバータ８に出力する。Ａ／Ｄコンバータ８は、アナログＩＦ信号用とデジタルＩＦ信号用に別個にＡ／Ｄ変換処理回路を備えている。そして、入力されたアナログ及びデジタルＩＦ信号をそれぞれに対応したＡ／Ｄ変換処理回路によってＡ／Ｄ変換する。Ａ／Ｄコンバータ８は、Ａ／Ｄ変換したアナログＩＦ信号、デジタルＩＦ信号のそれぞれをアナログ用信号処理回路９、ＩＤＭ１６に出力する。なお、ＩＦアンプ６のゲインは、Ａ／Ｄコンバータ８に入力されるＩＦ信号のレベルに基づいたフィードバック制御によって調整される。【００４２】
アナログ用信号処理回路９には、アナログＩＦ信号を検波するための検波回路、ノイズキャンセラー、および弱電界処理回路が含まれる。アナログ用信号処理回路９に入力したアナログＩＦ信号は、検波回路によってオーディオ信号に復調される。次いで、ノイズキャンセラーによってノイズ除去される。ノイズ除去後、弱電界処理回路によって選局するチャネルの受信状態に応じた処理（ミュート、ハイカット、セパレーション制御等）を施される。そしてこれら一連の処理後、オーディオ処理回路１０に出力される。なお、説明の便宜上、アナログ用信号処理回路９の処理を経て出力されるオーディオ信号を「アナログオーディオ信号」と記す。【００４３】
また、ＩＤＭ１６は、ＩＢＯＣ方式専用のデジタル放送信号の復号器である。ＩＤＭ１６は、入力したデジタルＩＦ信号に対して周知のデコード処理を行ってオーディオ信号を得る。そして、得られたオーディオ信号をオーディオ処理回路１０に出力する。なお、説明の便宜上、ＩＤＭ１６の処理を経て出力されるオーディオ信号を「デジタルオーディオ信号」と記す。【００４４】
次いで、オーディオ処理回路１０が、入力されたオーディオ信号に所定の処理を施し、ボリューム調整を行った後に、Ｄ／Ａコンバータ１１に入力する。なお、オーディオ処理回路１０は、アナログオーディオ信号とデジタルオーディオ信号の両方が入力した場合には、何れか一方を出力する。附言するに、初期設定ではデジタルオーディオ信号を優先して出力する。例えば入力信号がアナログオーディオ信号のみから両方のオーディオ信号に変わったとき、オーディオ処理回路１０はデジタルオーディオ信号を出力するよう動作する。【００４５】
Ｄ／Ａコンバータ１１は、入力したオーディオ信号をＤ／Ａ変換してパワーアンプ１２に出力する。パワーアンプ１２はオーディオ信号を増幅してスピーカ１３に出力する。これにより、ラジオ放送がスピーカ１３から出力再生される。なお、オーディオ処理回路１０には、入力したアナログオーディオ信号とデジタルオーディオ信号をスムーズに切り替えて出力するブレンド回路が実装されている。ブレンド回路により、出力信号がアナログオーディオ信号からデジタルオーディオ信号（又はデジタルオーディオ信号からアナログオーディオ信号）に切り替えられたとき、スピーカ１３から出力される音声が、ユーザにその切り替わりを感じさせないほど自然につながる。【００４６】
次に、本実施形態のオーディオ装置１００におけるラジオ放送再生処理について説明する。図２に、ラジオ放送再生処理のフローチャートを示す。【００４７】
図２のラジオ放送再生処理は、例えばオーディオ装置１００の電源がオンされた時点で開始され、当該電源がオフされた時点で終了する。つまりラジオ放送再生処理は電源がオンしている期間中、継続して実行される。また、ラジオ放送再生処理の実行途中で例えばユーザ・オペレーション等による選局が行われたとき、当該処理は強制的にステップ１（以下、明細書および図面においてステップを「Ｓ」と略記）の処理に復帰する。【００４８】
ラジオ放送再生処理が開始されると、マイクロコンピュータ１５はＰＬＬ回路１４を介して、例えば内部メモリに保存されたラストチャネルやユーザ・オペレーション等によって選局されたチャネルをチューニングするようチューナ２を制御する（Ｓ１）。【００４９】
マイクロコンピュータ１５は、Ｓ１の処理に次いで、ＩＦ広帯域フィルタ３とＩＦアンプ６とを接続させるようフィルタ切替スイッチ５をスイッチング制御する（Ｓ２）。すなわち広帯域ＩＦ信号をＩＦアンプ６に入力させる。これは、選局するチャネルがオーディオ装置１００にとって既知でないとき（例えば初めて選局するチャネルの場合）、当該チャネルがデジタルラジオ放送を行っているか否か不明であるためである。このようにフィルタリングを予め広帯域側に設定しておけば、既知でないチャネルに含まれ得るＩＢＯＣ信号を検出することができる。【００５０】
マイクロコンピュータ１５はＳ２の処理に次いで、ＩＤＭ１６の出力を参照して、選局するチャネルにＩＢＯＣ信号が含まれているか否かを判定する（Ｓ３）。そして、選局するチャネルにＩＢＯＣ信号が含まれていると判定した場合（Ｓ３：ＹＥＳ）、当該選局するチャネルがデジタルラジオ放送を行っていることから、現状を維持しつつ（すなわちフィルタ切替スイッチ５をＩＦ広帯域フィルタ３にスイッチングした状態を維持しつつ）Ｓ３の処理を定期的に実行する。この処理を実行することで、スピーカ１３からはクリアな音質のデジタルラジオ放送が出力再生されることとなる。【００５１】
また、Ｓ３の処理においてマイクロコンピュータ１５は、ＩＤＭ１６の出力を参照してＩＢＯＣ信号が含まれていないと判定した場合（Ｓ３：ＮＯ）、選局するチャネルがアナログラジオ放送のみである、又は選局するチャネルの受信状態が原因でＩＢＯＣ信号を検出できない、或いはフィルタリング処理でサイドバンドがカットされている、の何れかであると判断する。次いで、ＩＦ信号が広帯域にフィルタリング（すなわちフィルタ切替スイッチ５がＩＦ広帯域フィルタ３にスイッチング）されているか否かを判定する（Ｓ４）。【００５２】
Ｓ４の処理においてマイクロコンピュータ１５は、ＩＦ信号が広帯域にフィルタリングされていると判定した場合（Ｓ４：ＹＥＳ）、更に、オーディオ処理回路１０に入力する信号のレベルが第１の閾値より高いか否かを判定する（Ｓ５）。なお、Ｓ４の処理でＹＥＳ判定となる場合、選局するチャネルがアナログラジオ放送のみである、又は選局するチャネルの受信状態が原因でＩＢＯＣ信号を検出できない、の何れかであることを意味する。【００５３】
Ｓ５の処理において、信号レベルが第１の閾値以下と判定される場合（Ｓ５：ＮＯ）、選局するチャネルの受信状態が悪く、当該選局するチャネルが隣接妨害の影響を受け易い状態にある。よって、マイクロコンピュータ１５は、フィルタ切替スイッチ５をＩＦ狭帯域フィルタ４にスイッチングする（Ｓ６）。つまり、ＩＦ信号を狭帯域にフィルタリングしてサイドバンドをカットし、選局するチャネルに対する隣接妨害の影響を軽減させる。この処理を実行することにより、アナログラジオ放送が、隣接妨害の影響が軽減された状態で（すなわちクリアな音質で）スピーカ１３から出力再生される。マイクロコンピュータ１５はＳ６の処理の実行後、所定時間待機してＳ３の処理に復帰する。【００５４】
また、Ｓ５の処理において、上記信号レベルが第１の閾値よりも高いと判定される場合（Ｓ５：ＹＥＳ）、選局するチャネルの受信状態が比較的良好で、当該選局するチャネルが隣接妨害の影響を受け難い状態にある。よって、マイクロコンピュータ１５は、ＩＦ広帯域フィルタ３にスイッチングした状態を維持（すなわちＩＢＯＣ信号を検出できる状態を維持）し、所定時間待機後にＳ３の処理に復帰する。【００５５】
ＩＦ広帯域フィルタ３にスイッチングした状態を維持することによって、例えば選局するチャネルの受信状態が原因でＩＢＯＣ信号が検出できていない場合であれば、当該受信状態が更に良好となったときにＩＢＯＣ信号が検出される。ＩＢＯＣ信号が検出、取得されれば、上述した一連の処理（デジタルＩＦ信号、デジタルオーディオ信号等の生成、オーディオ処理回路１０、Ｄ／Ａコンバータ１１、およびパワーアンプ１２等における処理）が実行され、クリアな音質のデジタルラジオ放送がスピーカ１３で再生されることとなる。【００５６】
また、例えば選局するチャネルがアナログラジオ放送のみである場合であっても、隣接妨害の影響を受け難い状態であることから、アナログラジオ放送がクリアな音質でスピーカ１３から出力再生されることとなる。【００５７】
上記処理によれば、何れにしてもユーザにクリアな音質のラジオ放送を提供することができる。また、受信状態が改善した場合には、アナログラジオ放送からデジタルラジオ放送に自動的に切り替わり、より良い音質のラジオ放送をユーザに提供することが可能となる。【００５８】
また、Ｓ４の処理においてマイクロコンピュータ１５は、フィルタ切替スイッチ５がＩＦ狭帯域フィルタ４にスイッチングされていると判定した場合（Ｓ４：ＮＯ）、当該スイッチングを維持すべきか否かを決定するため、オーディオ処理回路１０に入力する信号のレベルが第２の閾値より高いか否かを判定する（Ｓ７）。なお、本実施形態において、第２の閾値を第１の閾値よりも高い（若しくは異なる）値に設定しておくことが好ましい。これは、例えば第１と第２の閾値が同一である場合、電界（ＩＦ信号のレベル）が当該閾値付近で上下に微少に変動しているときにフィルタ切替スイッチ５が頻繁に切り替わってしまう恐れがあるためである。本実施形態では、そのようなチャタリングを防止するため、第１と第２の閾値を異なる値に設定している。【００５９】
Ｓ７の処理において、上記信号レベルが第２の閾値以下と判定される場合（Ｓ７：ＮＯ）、選局するチャネルの受信状態が悪く、当該選局するチャネルが隣接妨害の影響を受け易い状態にある。よって、マイクロコンピュータ１５は、フィルタ切替スイッチ５をＩＦ狭帯域フィルタ４から切り替えることなく、隣接妨害の影響を受け難い状態を継続させて、所定時間待機後にＳ３の処理に復帰する。この処理を実行することによって、隣接妨害の影響が軽減されたアナログラジオ放送が継続して出力再生されることとなる。【００６０】
また、Ｓ７の処理において、上記信号レベルが第２の閾値より高いと判定される場合（Ｓ７：ＹＥＳ）、選局するチャネルの受信状態が比較的良好で、当該選局するチャネルが隣接妨害の影響を受け難い状態にある。よって、マイクロコンピュータ１５は、ＩＦ信号に対するフィルタリングを狭帯域から広帯域に切り替えるため、フィルタ切替スイッチ５をＩＦ広帯域フィルタ３にスイッチングして（Ｓ８）、所定時間待機後にＳ３の処理に復帰する。【００６１】
ＩＦ広帯域フィルタ３にスイッチング後、マイクロコンピュータ１５は、選局するチャネルのＩＢＯＣ信号を検出し取得可能な状態となる。そして、受信状態が更に良好となり、選局するチャネルの広帯域ＩＦ信号からＩＢＯＣ信号が検出、取得された場合には、出力再生されるラジオ放送がアナログラジオ放送からデジタルラジオ放送に自動的に切り替わる。また、広帯域ＩＦ信号からＩＢＯＣ信号が検出、取得されない場合であっても、隣接妨害の影響が少ないアナログラジオ放送が継続して出力再生されることとなる。この処理によれば、何れにしてもユーザにクリアな音質のラジオ放送を提供することができる。また、受信状態が改善した場合には、アナログラジオ放送からデジタルラジオ放送に自動的に切り替わり、より良い音質のラジオ放送をユーザに提供することが可能となる。【００６２】
すなわち本実施形態のＩＢＯＣ放送受信機によれば、受信状態が良好であるときには隣接妨害の影響は軽微であるため、ＩＢＯＣ信号の有無に拘わらずフィルタリングを広帯域に設定する構成を採用している。これにより、アナログラジオ放送を隣接妨害の影響が軽減又は少ない状態で出力再生できると共に、例えば受信状態が改善してＩＢＯＣ信号を検出、取得したときに、出力再生するラジオ放送をアナログラジオ放送からデジタルラジオ放送に自動的に切り替えることが可能となる。【００６３】
以上が本発明の実施の形態である。本発明はこれらの実施の形態に限定されるものではなく様々な範囲で変形が可能である。例えば本実施形態のＩＢＯＣ放送受信機を備えたオーディオ装置１００は車載されたものであるが、別の実施の形態では人が携帯するような機器であっても良い。
【図１】
2008026693.tif 000003
【図２】
2008026693.tif 000004
【国際調査報告】
2008026693.tif 000005
2008026693.tif 000006